【事件の表示】
　特願２００８−２９３５２２「フィールドシーケンシャルカラーディスプレイ装置の性能を向上させるための方法及びシステム」拒絶査定不服審判事件〔平成２１年　８月２０日出願公開、特開２００９−１８６９８５〕について、次のとおり審決する。
【結　論】
　本件審判の請求は、成り立たない。
【理　由】
第１　手続の経緯
　本願は、平成２０年１１月１７日（パリ条約による優先権主張　外国庁受理　２００７年１１月１６日　米国）に出願したものであって、平成２６年７月２日付けの拒絶理由の通知に対し、平成２６年１０月６日に意見書が提出されたが、平成２７年２月２４日付けで拒絶査定がなされ、これに対して平成２７年６月２６日に審判請求がなされるとともに手続補正がなされたものである。
第２　本願発明
１　本願発明
　本願請求項１に係る発明（以下「本願発明」という。）は、次のとおりである。
　「第１のゾーン及び第２のゾーン（７４，７６）の各々に設けられた第１の光源及び第２の光源（４８、５０）を有するディスプレイ装置（１０）上に画像を表示するための方法であって、
　前記第１のゾーン（７４）の前記それぞれ第１及び第２の光源（４８、５０）に対応する第１及び第２のサブフレーム（５８、６０）を各々が有する複数のフレーム（５６）を備えたビデオ信号を前記ディスプレイ装置（１０）に供給する段階と、
　前記複数のフレーム（５６）の各々の第１のサブフレーム（５８）の間の第１の持続時間で前記第１の光源（４８）を動作する段階と、
　前記複数のフレーム（５６）の各々の第２のサブフレーム（６０）の間の前記第１の持続時間と異なる第２の持続時間で前記第１のゾーン（７４）の前記第２の光源（５０）を動作する段階と、
　前記第２のゾーンの第２の光源の動作の第２の持続時間の発生が生じている間、第１の持続時間の発生を同期させる段階と、
を含む方法。」
２　引用例及びその記載事項
（１）原査定の拒絶の理由で引用された、本願の優先権主張の日前に頒布された刊行物である特開２００１−２９０１２４号公報（平成１３年１０月１９日公開、以下「引用例」という。）  には、図面とともに以下の事項が記載されている（なお、下線は当審で付した。）。
ａ「【０００１】
【発明の属する技術分野】
本発明は、フラットパネルディスプレイ、プロジェクションディスプレイ等に用いられるライトバルブおよびそれらを使用した液晶表示装置に関する。
ｂ「【００１７】
まず、フィールドシーケンシャル方式における１つ目の問題点は、各フィールド期間における光源点灯時間が短く、その分、表示輝度が低下してしまう点である。
すなわち、通常フィールドシーケンシャル方式において、望むべくカラー表示を行うためには、光の照射は、パネル全体の画像書き換えが完了した後に行わなければならず、１フィールド期間内における光源点灯時間は減少し、全体としての表示輝度も低下することとなる。
ｃ「【００２０】
このような問題を解決する方法としては、
液晶パネルを幾つかのブロックに分け、各ブロック毎にＲＧＢの光源を配置する方法
各Ｒ・Ｇ・Ｂ光源を一組とし、液晶パネルのゲート線に並行するように分割された光源ユニットを有することにより、液晶パネルの表示状態（各フィールド期間）に応じて各色光源の点灯を行うものである。
【００２１】
図１３は、上記駆動方法におけるデータ転送タイミング及び、光源点灯タイミングの一例を示すものであり、図８は、それにより得られる液晶パネルの面内輝度を示す図である。なお、ブロック数（光源分割数）は４ブロックであり、入力された画像データはＹｅｌｌｏｗ１００％の全面表示とする。
ｄ「【００２４】
しかしながら、光源の点灯は、光源分割領域ごとに同じになされるため、光源分割点灯領域内において、同図の(d) 及び(e) を比較しても分かるように輝度むらが発生する。なお、光源消灯時間設定を、混色防止のため設けているが、点灯時間をフィールド期間内において変更したところで、輝度むらを解消する事はできない。
【００２５】
このような点は図１２に示した液晶パネルでも同様ではあるが、
図１３(c) に示すように第一〜第四領域に分けて光照射を行うため、結果として、図８に示されるように、液晶パネルにおいて光源分割ブロック毎に、
ｅ　図１３（ａ）から、「１Ｆｌａｍｅ」が、「Ｒ走査」「Ｇ走査」「Ｂ走査」にそれぞれ対応する「１Ｆｉｅｌｄ」を有する点が読み取れる。
ｆ　図１３（ａ）及び図１３（ｃ）から、それぞれ「Ｒ」「Ｇ」「Ｂ」光源に、「Ｒ走査」「Ｇ走査」「Ｂ走査」が対応する点が読み取れる。
ｇ　図１３（ｃ）から、「第一領域」が「Ｒ」「Ｇ」「Ｂ」光源を有する点が読み取れる。
ｈ　図１３（ｃ）から、
「Ｒ走査」に対応する「１Ｆｉｅｌｄ」の期間内に、「第一領域」の「分割光源点灯タイミング」で「Ｒ」光源が点灯することと、
「Ｇ走査」に対応する「１Ｆｉｅｌｄ」の期間内に、「第一領域」の「分割光源点灯タイミング」で「Ｇ」光源が点灯することと、
「Ｂ走査」に対応する「１Ｆｉｅｌｄ」の期間内に、「第一領域」の「分割光源点灯タイミング」で「Ｂ」光源が点灯することが読み取れる。
ｉ　図１３（ｃ）から、
　「第一領域」の「Ｇ」光源が点灯している期間の一部と、「第三領域」の「Ｒ」光源が点灯している期間の一部が重なっていることと、
　「第二領域」の「Ｇ」光源が点灯している期間の一部と、「第四領域」の「Ｒ」光源が点灯している期間の一部が重なっていることと、
　「第三領域」の「Ｇ」光源が点灯している期間の一部と、「第一領域」の「Ｂ」光源が点灯している期間の一部が重なっていることと、
　「第四領域」の「Ｇ」光源が点灯している期間の一部と、「第二領域」の「Ｂ」光源が点灯している期間の一部が重なっていることが読み取れる。
ア　上記ａの「【０００１】・・・本発明は・・・液晶表示装置・・・」との記載及び上記ｃの「【００２０】・・・液晶パネルを幾つかのブロックに分け、各ブロック毎にＲＧＢの光源を配置する・・・【００２１】・・・ブロック数（光源分割数）は４ブロックであり」、上記ｃの「【００２５】・・・図１３(ｃ) に示すように第一〜第四領域に分けて光照射を行うため、結果として、図８に示されるように、液晶パネルにおいて光源分割ブロック毎に・・・」との記載から、引用例には、「液晶表示装置の液晶パネルを第一〜第四領域に分け、各領域毎にＲＧＢの光源を配置する」ことが記載されている。
イ　上記ｃに「【００２０】・・・各Ｒ・Ｇ・Ｂ光源を一組とし、液晶パネルのゲート線に並行するように分割された光源ユニットを有することにより、液晶パネルの表示状態（各フィールド期間）に応じて各色光源の点灯を行うものである。」と記載されており、液晶パネルは画像を表示するのものであるから、引用例には、「液晶パネル上に画像を表示するための方法」が記載されている。
ウ　上記ｃの「【００２１】図１３は、上記駆動方法におけるデータ転送タイミング及び、光源点灯タイミングの一例を示すものであり、図８は、それにより得られる液晶パネルの面内輝度を示す図である。なお、ブロック数（光源分割数）は４ブロックであり、入力された画像データはＹｅｌｌｏｗ１００％の全面表示とする。」との記載から、引用例には、「画像データを液晶パネルへ入力する」ことが記載されている。
　上記ｅ〜ｇの記載から、引用例には「第一領域のそれぞれＲ、Ｇ及びＢ光源に対応するＲ走査、Ｇ走査及びＢ走査の１Ｆｉｅｌｄを有する１Ｆｌａｍｅ」が記載されているといえる。
　そして、液晶パネルへ入力される画像データにおいては、複数のＦｌａｍｅを備えるようにすることは常套手段であるので、引用例には、「「第一領域のそれぞれＲ、Ｇ及びＢ光源に対応するＲ走査、Ｇ走査及びＢ走査の１Ｆｉｅｌｄを各々が有する複数のＦｌａｍｅ」を備えた画像データを液晶パネルへ入力する」ことが記載されているということができる。
エ　上記ｅ〜ｇ及び上記ｈの記載から、引用例には、「複数のＦｌａｍｅの各々のＲ走査に対応する１Ｆｉｅｌｄの期間内に、第一領域の分割光源点灯タイミングでＲ光源が点灯することと、複数のＦｌａｍｅの各々のＧ走査に対応する１Ｆｉｅｌｄの期間内に、第一領域の分割光源点灯タイミングでＧ光源が点灯することと、複数のＦｌａｍｅの各々のＢ走査に対応する１Ｆｉｅｌｄの期間内に、第一領域の分割光源点灯タイミングでＢ光源が点灯すること」が記載されている。
オ　上記ｉの記載から、引用例には、「第一領域のＧ光源が点灯している期間の一部と、第三領域のＲ光源が点灯している期間の一部が重なっていることと、第二領域のＧ光源が点灯している期間の一部と、第四領域のＲ光源が点灯している期間の一部が重なっていることと、第三領域のＧ光源が点灯している期間の一部と、第一領域のＢ光源が点灯している期間の一部が重なっていることと、第四領域のＧ光源が点灯している期間の一部と、第二領域のＢ光源が点灯している期間の一部が重なっていること」が記載されている。
カ　図１３に記載された「Ｆｌａｍｅ」「Ｆｉｅｌｄ」は、一般的に「フレーム」「フィールド」と表現される。
　したがって、上記引用例に記載された事項、図面の記載、及び上記アないしカを総合すると、引用例には、次の事項が記載されている（以下、「引用発明」という。）
　「液晶表示装置の液晶パネルを第一〜第四領域に分け、各領域毎にＲＧＢの光源を配置し、液晶パネル上に画像を表示するための方法であって、
　第一領域のそれぞれＲ、Ｇ及びＢ光源に対応するＲ走査、Ｇ走査及びＢ走査のフィールドを各々が有する複数のフレームを備えた画像データを液晶パネルへ入力することと、
　複数のフレームの各々のＲ走査に対応するフィールドの期間内に、第一領域の分割光源点灯タイミングでＲ光源が点灯することと、
　複数のフレームの各々のＧ走査に対応するフィールドの期間内に、第一領域の分割光源点灯タイミングでＧ光源が点灯することと、
　複数のフレームの各々のＢ走査に対応するフィールドの期間内に、第一領域の分割光源点灯タイミングでＢ光源が点灯することと、
　第一領域のＧ光源が点灯している期間の一部と、第三領域のＲ光源が点灯している期間の一部が重なっていることと、
　第二領域のＧ光源が点灯している期間の一部と、第四領域のＲ光源が点灯している期間の一部が重なっていることと、
　第三領域のＧ光源が点灯している期間の一部と、第一領域のＢ光源が点灯している期間の一部が重なっていることと、
　第四領域のＧ光源が点灯している期間の一部と、第二領域のＢ光源が点灯している期間の一部が重なっていることとを含む方法」
（２）原査定の拒絶の理由で引用され、本願の優先権主張の日前に頒布された刊行物である特開２００３−４４０１６号公報（平成１５年２月１４日公開、以下「周知例１」という。）  には、図面とともに以下の事項が記載されている（なお、下線は当審で付した。）。
ａ「【０００２】
【従来の技術】
赤または緑または青の映像を表示し、それに連動してそれぞれの色に応じた照明を全面または背面から任意の順序で照射してカラー表示を行う色順次表示方式（フィールドシーケンシャルカラー方式）の液晶表示装置において
ｂ「【００３８】  コントローラ７０２には、外部より入力された映像信号を色順次表示方式に適した状態に信号処理するために、１画面分の映像信号を記憶できるフレームメモリを有しており、入力された映像信号を一旦前記フレームメモリへ蓄積する。そして、赤、緑、青の映像信号に分けて、色の順序を固定したまま順番にソースドライバへ送信する。また、それと同時にソースドライバへはクロック信号、ラッチパルス、スタートパルスなどの制御信号も送る。また、ゲートドライバへも走査に必要な制御信号を送る。この様子を図７に示した。図７において、１１０１が赤のバックライトの制御信号、１１０２が緑のバックライトの制御信号、１１０３が青のバックライトの制御信号、１１０４、１１０５、１１０６はそれぞれ液晶に電圧を書きこむ期間、液晶が書きこまれた電圧に応答する期間、バックライトを点灯して映像を表示する期間である。ここで例として赤の映像信号を書きこむ場合の動作について説明する。まず、書きこみ期間１１０４にて液晶パネルに赤の映像信号を書きこむ。その後、液晶が書きこまれた電圧に応答するまでの期間１１０５を経て、
バックライト照射期間１１０６のタイミングで赤のバックライトを照射する。同様にして、緑、青の映像信号も処理する。このようにして、各色ごとに順次表示して、カラー表示を行う。バックライトを照射する期間は、光源の発光期間を光源の電力−発光効率特性と必要な輝度に応じて最適化すればよい。
　
ｃ　図７には、赤のバックライト照射期間、緑のバックライト照射期間、青のバックライト照射期間を、それぞれの光源ごとに異ならせることが記載されている。
　上記記載から周知例１には、
　「フィールドシーケンシャルカラー方式の液晶表示装置において、赤のバックライト照射期間、緑のバックライト照射期間、青のバックライト照射期間をそれぞれの光源ごとに異ならせて、光源の発光期間を、光源の電力−発光効率特性と必要な輝度に応じて最適化する技術」
　が記載されているということができる。
（３）原査定の拒絶の理由で引用され、本願の優先権主張の日前に頒布された刊行物である特開２００４−８６０８１号公報（平成１６年３月１８日公開、以下「周知例２」という。）  には、図面とともに以下の事項が記載されている（なお、下線は当審で付した。）。
ａ「【０００１】
【発明の属する技術分野】
本発明は、複数個の異なる波長の光を発光する発光素子を順次切り替えて発光させ、人間の目が有する時間軸合成作用を利用してカラー表示を得るフィールドシーケンシャルカラー表示装置の改良に係わり
ｂ「【００２２】
【発明の実施の形態】
以下、本発明の実施の形態を図面に基づいて説明する。図１は、本発明の実施の形態であるカラー表示装置のブロック図であり、従来例である図９と同等な構成部分の説明は一部省略するが、
２０は本発明のカラー表示装置であり、１は光源部であって赤、緑、青の光を発光する発光ダイオード１ａ、１ｂ、１ｃを内部に配設して光を出力し、４は液晶パネルであり前記光源部１が発光する出力光（矢印Ａ）を入力して透過遮断制御を行い、透過光（矢印Ｂ）を出力して画像や文字を表示する。
ｃ「【００３７】
次に光源駆動回路２１の動作を説明する。図１で示す光源駆動回路２１は、図１０の従来例で説明した光源駆動回路８の可変抵抗ＶＲが固定抵抗（図示せず）に置き換わったものであるので詳細な説明は省略するが、入力信号である前記光源タイミング信号ＬＥＤ−Ｒ、ＬＥＤ−Ｇ、ＬＥＤ−Ｂが論理’０’のときは図１０で示すトランジスタＴｒはＯＦＦであるので発光ダイオード１ａ〜１ｃには光源駆動電流６ａ〜６ｃは流れず該発光ダイオード１ａ〜１ｃは消灯し、
光源タイミング信号ＬＥＤ−Ｒ、ＬＥＤ−Ｇ，ＬＥＤ−Ｂが論理’１’の期間は図１０で示すトランジスタＴｒがＯＮするので発光ダイオード１ａ〜１ｃには光源駆動電流６ａ〜６ｃが流れて各発光ダイオード１ａ〜１ｃは点灯し、この結果、光源タイミング信号ＬＥＤ−Ｒ、ＬＥＤ−Ｇ，ＬＥＤ−Ｂのそれどれが論理‘１’となる時間が発光ダイオード１ａ〜１ｃの点灯時間に等しい。
【００３８】
ここで、各発光ダイオード１ａ〜１ｃの発光量はその点灯時間に比例するので、例えば赤の発光ダイオード１ａの点灯時間が他の点灯時間より長ければ人間の目に見える混合色は赤味を帯びた色相となり、また、緑の発光ダイオード１ｂの点灯時間が他の点灯時間より長ければその混合色は緑の強い色相となり、また、青の発光ダイオード１ｃの点灯時間が他の点灯時間より長ければその混合色は青味の強い色相となるので、
それぞれの発光ダイオード１ａ〜１ｃの点灯時間を調整することによって合成された光の白色バランスを調整することが出来る。
ｄ　図１０には、光源タイミング信号ＬＥＤ−Ｒ、ＬＥＤ−Ｇ，ＬＥＤ−Ｂが論理’１’の期間が、それぞれ光源ごとに可変とすることが記載されている。
　上記記載から周知例２には、
　「カラー表示を得るフィールドシーケンシャル表示装置の液晶パネルにおいて、発光ダイオード１ａ〜１ｃの点灯時間をそれぞれの光源ごとに可変とし、光源の点灯時間を調整することによって白色バランスを調整する技術」
　が記載されているということができる。
３　対比
　本願発明と引用発明を対比する。
（１）引用発明の「液晶パネル」、「領域」、「フィールド」、「画像データ」は、本願発明の「ディスプレイ装置」、「ゾーン」、「サブフレーム」、「ビデオ信号」にそれぞれ相当する。
（２）
ａ　引用発明は「複数のフレームの各々のＲ走査に対応するフィールドの期間内に、第一領域の分割光源点灯タイミングでＲ光源が点灯することと、複数のフレームの各々のＧ走査に対応するフィールドの期間内に、第一領域の分割光源点灯タイミングでＧ光源が点灯することと、複数のフレームの各々のＢ走査に対応するフィールドの期間内に、第一領域の分割光源点灯タイミングでＢ光源が点灯すること」とを含むものであって、フィールドの間の分割光源点灯タイミング時間で第一領域の光源が点灯するので、引用発明の「第一領域」は、本願発明の「第１のゾーン」に相当する。
ｂ　引用発明の「第一領域」は、本願発明の「第１のゾーン」に相当するのであるから、引用発明の「第二領域」、「第三領域」及び「第四領域」のいずれかの領域が、本願発明の「第２のゾーン」に相当する。
ｃ　引用発明の「ＲＧＢの光源」のうちいずれか一色の「光源」が、本願発明の「第１の光源」に相当し、他の一色の「光源」が、本願発明の「第２の光源」に相当する。
ｄ　上記ａ〜ｃから、引用発明の「液晶パネルを第一〜第四領域に分け、各領域毎にＲＧＢの光源を配置し、液晶パネル上に画像を表示するための方法」は、
　本願発明の「第１のゾーン及び第２のゾーン（７４，７６）の各々に設けられた第１の光源及び第２の光源（４８、５０）を有するディスプレイ装置（１０）上に画像を表示するための方法」に相当する。
（３）
ａ　上記（２）ａより、引用発明の「第一領域」は、本願発明の「第１のゾーン」に相当する。 
ｂ　引用発明の「Ｒ、Ｇ及びＢの光源に対応するＲ走査、Ｇ走査及びＢ走査のフィールド」のうちいずれか一色の「光源」及び「走査のフィールド」が、本願発明の「第１の光源」及び「第１のサブフレーム」に相当し、他の一色の「光源」及び「走査のフィールド」が、本願発明の「第２の光源」及び「第２のサブフレーム」に相当する。
ｄ　上記ａ、ｂから、引用発明の「第一領域のそれぞれＲ、Ｇ及びＢ光源に対応するＲ走査、Ｇ走査及びＢ走査のフィールドを各々が有する複数のフレームを備えた画像データを液晶パネルへ入力すること」は、
　本願発明の「前記第１のゾーン（７４）の前記それぞれ第１及び第２の光源（４８、５０）に対応する第１及び第２のサブフレーム（５８、６０）を各々が有する複数のフレーム（５６）備えたビデオ信号を前記ディスプレイ装置（１０）に供給する段階」に相当する。
（４）
ａ　上記（２）ａより、引用発明の「第一領域」は、本願発明の「第１のゾーン」に相当する。
ｂ　上記（３）ｂより、引用発明の「Ｒ、Ｇ及びＢの光源」及び「Ｒ走査、Ｇ走査及びＢ走査に対応するフィールド」のうちいずれか一色の「光源」及び「走査に対応するフィールド」が、本願発明の「第１の光源」及び「第１のサブフレーム」に相当し、他の一色の「光源」及び「走査に対応するフィールド」が、本願発明の「第２の光源」及び「第２のサブフレーム」に相当する。
ｃ　引用発明の「光源が点灯する」ことは、本願発明の「光源を動作する」ことに相当する。
ｄ　引用発明の「分割光源点灯タイミング」と、本願発明の「第１の持続時間」及び「第２の持続時間」とは、光源の「動作時間」であることで共通する。
ｅ　上記ａ〜ｄから、引用発明の「複数のフレームの各々のＲ走査に対応するフィールドの期間内に、第一領域の分割光源点灯タイミングでＲ光源が点灯することと、複数のフレームの各々のＧ走査に対応するフィールドの期間内に、第一領域の分割光源点灯タイミングでＧ光源が点灯することと、複数のフレームの各々のＢ走査に対応するフィールドの期間内に、第一領域の分割光源点灯タイミングでＢ光源が点灯すること」と、
　本願発明の「前記複数のフレーム（５６）の各々の第１のサブフレーム（５８）の間の第１の持続時間で前記第１の光源（４８）を動作する段階と、前記複数のフレーム（５６）の各々の第２のサブフレーム（６０）の間の前記第１の持続時間と異なる第２の持続時間で前記第１のゾーン（７４）の前記第２の光源（５０）を動作する段階」とは、
　「前記複数のフレーム（５６）の各々の第１のサブフレーム（５８）の間の動作時間で前記第１の光源（４８）を動作する段階と、前記複数のフレーム（５６）の各々の第２のサブフレーム（６０）の間の動作時間で前記第１のゾーン（７４）の前記第２の光源（５０）を動作する段階」である点で共通する。
（５）
ａ　上記（２）ａ，ｂより、引用発明の「第一領域」は、本願発明の「第１ゾーン」に相当し、引用発明の「第二領域」、「第三領域」及び「第四領域」のいずれかの領域が、本願発明の「第２のゾーン」に相当する。
ｂ　上記（２）ｃより、引用発明の「Ｒ光源」「Ｇ光源」「Ｂ光源」のうちいずれか一色の「光源」が、本願発明の「第１の光源」に相当し、他の一色の「光源」が、本願発明の「第２の光源」に相当する。
ｃ　上記（４）ｄより、引用発明の「光源が点灯している期間」と、本願発明の「第１の持続時間」及び「第２の持続時間」とは、「光源の動作時間」である点で共通する。
ｄ　引用発明は「第一領域のＧ光源が点灯している期間の一部と、第三領域のＲ光源が点灯している期間の一部が重なっていることと、第二領域のＧ光源が点灯している期間の一部と、第四領域のＲ光源が点灯している期間の一部が重なっていることと、第三領域のＧ光源が点灯している期間の一部と、第一領域のＢ光源が点灯している期間の一部が重なっていることと、第四領域のＧ光源が点灯している期間の一部と、第二領域のＢ光源が点灯している期間の一部が重なっていること」とを含むものであって、必ず任意の領域で一の光源が点灯している期間の一部と、他の領域で他の光源が点灯している期間の一部が重なっているということができる。
ｅ　本願発明は「第１のサブフレーム（５８）の間の第１の持続時間で前記第１の光源（４８）を動作する段階」とあるので、本願発明の「第１の持続時間」は、第１の光源（４８）を動作する時間である。
ｆ　本願発明の「前記第２のゾーンの第２の光源の動作の第２の持続時間の発生が生じている間、第１の持続時間の発生を同期させる」ことについて、本願明細書には「【００３０】・・・ＬＣＤパネル６８の上側セクション７４及びバックライト７０の上側群８８が、他のセクション及び群が赤色サブフレーム５８下で依然として動作している間に、緑色及び青色サブフレーム６０及び６２によって指示されるような動作を継続して実行することである。」との記載をされており、
　「前記第２のゾーンの第２の光源の動作の第２の持続時間の発生が生じている間、第１の持続時間の発生を同期させる」は、少なくとも「第２のゾーンの第２の光源の動作の第２の持続時間の発生が生じている間、第１ゾーンの第１の持続時間の発生を生じさせる」ことに対応するものということができる。
　上記ａ〜ｅから、引用発明の「第一領域のＧ光源が点灯している期間の一部と、第三領域のＲ光源が点灯している期間の一部が重なっていることと、第二領域のＧ光源が点灯している期間の一部と、第四領域のＲ光源が点灯している期間の一部が重なっていることと、第三領域のＧ光源が点灯している期間の一部と、第一領域のＢ光源が点灯している期間の一部が重なっていることと、第四領域のＧ光源が点灯している期間の一部と、第二領域のＢ光源が点灯している期間の一部が重なっていること」と、
　本願発明の「前記第２のゾーンの第２の光源の動作の第２の持続時間の発生が生じている間、第１の持続時間の発生を同期させる段階」は、
　「前記第２のゾーンの第２の光源の動作の動作時間の発生が生じている間、第１の光源の動作時間の発生を生じさせる段階」である点で共通する。
　すると、本願発明と引用発明とは、次の＜一致点＞及び＜相違点＞を有する。
＜一致点＞
　「第１のゾーン及び第２のゾーン（７４，７６）の各々に設けられた第１の光源及び第２の光源（４８、５０）を有するディスプレイ装置（１０）上に画像を表示するための方法であって、
　前記第１のゾーン（７４）の前記それぞれ第１及び第２の光源（４８、５０）に対応する第１及び第２のサブフレーム（５８、６０）を各々が有する複数のフレーム（５６）備えたビデオ信号を前記ディスプレイ装置（１０）に供給する段階と、
　前記複数のフレーム（５６）の各々の第１のサブフレーム（５８）の間の動作時間で前記第１の光源（４８）を動作する段階と、
　前記複数のフレーム（５６）の各々の第２のサブフレーム（６０）の間の動作時間で前記第１のゾーン（７４）の前記第２の光源（５０）を動作する段階と、
　前記第２のゾーンの第２の光源の動作の動作時間の発生が生じている間、第１の光源の動作時間の発生を生じさせる段階と、
を含む方法。」
＜相違点＞
（ア）光源の動作時間について、本願発明は、第１の光源が「第１の持続時間」で、第２の光源が「第１の持続時間と異なる第２の持続時間」であるのに対して、引用発明は、Ｒ光源、Ｇ光源、Ｂ光源の分割光源点灯タイミングの記載があるが、光源ごとの分割光源点灯タイミングの持続時間が不明である点。
（イ）第２のゾーンの第２の光源の動作の動作時間の発生が生じている間、第１の光源の動作時間の発生を生じさせる段階について、本願発明は、前記第２のゾーンの第２の光源の動作の第２の持続時間の発生が生じている間、第１の持続時間の発生を「同期させる」のに対して、引用発明は、「同期」との特定がない点。
４　判断
＜相違点＞（ア）について
　フィールドシーケンシャル方式の液晶表示装置（液晶パネル）において、Ｒ光源、Ｂ光源、Ｇ光源の点灯時間をそれぞれの光源ごとに異ならせ、発光特性や必要な輝度に応じて最適化することは周知技術である（周知例１（上記２（２））、周知例２（上記２（３）））。
　したがって、フィールドシーケンシャル方式の液晶パネルに関する引用発明においても（上記２（１）ｂ）、発光特性や輝度の最適化のために、上記周知技術を適用し、Ｒ光源、Ｇ光源、Ｂ光源の分割光源点灯タイミングの持続時間を、それぞれの光源ごとに異ならせることにより、第１の光源が「第１の持続時間」、第２の光源が「第１の持続時間と異なる第２の持続時間」と規定することは、当業者が容易になし得る事項である。
＜相違点＞（イ）について
　引用発明は、必ず任意の領域で一の光源が点灯している期間の一部と、他の領域で他の光源が点灯している期間の一部が重なっているので（上記３（５）ｄ）、
　引用発明において、上記＜相違点＞（ア）で検討したように、光源の動作時間を光源ごとに異ならせ、第１の光源が「第１の持続時間」、第２の光源が「第１の持続時間と異なる第２の持続時間」としたものにおいても、
　第２のゾーンの第２の光源の動作の第２の持続時間の期間の一部と、第１ゾーンの第１の持続時間の期間の一部が重ならせることは、当業者が容易になし得る事項である。　
  そして、請求人は、平成２６年１０月６日付けの意見書において「「前記第２のゾーンの第２の光源の動作の第２の持続時間の発生と、前記第１のゾーンの前記第１の光源の動作の第１の持続時間の発生とを同期させる」との記載については、「第１の持続時間が続いている時間と第２の持続時間が続いている時間が一部重なっていること」を表しています。」（３．（２））と主張しており、
　 第２の持続時間の期間の一部と、第１の持続時間の期間の一部を重ねたものにおいて、第２の持続時間の発生が生じている間、第１の持続時間の発生を「同期させる」とすることは、格別なことではない。
　したがって、本願発明の＜相違点＞（イ）に係る構成とすることは格別なことでない。
　そして、請求人が、平成２７年８月５日付けの手続補正書（方式）で主張する「赤及び緑のサブフレーム５８及び６０の発生の同期は、２つの色が一度に発せられ、かくしてディズプレイ全体の輝度を増大させます。」等の効果は、引用発明の「第一領域のＧ光源が点灯している期間の一部と、第三領域のＲ光源が点灯している期間の一部が重なっている」ことなどから、当業者が十分に予測できたものであり、
　また、上記相違点を総合的に判断しても、本願発明が奏する効果は引用発明及び周知な事項から当業者が十分に予測できたものであって格別なものとはいえない。
　したがって、本願発明は、引用発明及び周知な事項に基づいて、当業者が容易に発明をすることができたものである。
５　むすび
　以上のとおり、本願発明は、特許法第２９条第２項の規定により特許を受けることができないものであるから、その余の請求項に論及するまでもなく、本願は拒絶すべきものである。
　よって、結論のとおり審決する。